(57)【要約】  【課題】波動スイッチの操作ハンドルにおいて押力を作用させるべき端部の表示部へ発光源からの光を導光することができるスイッチ用プリズムおよびそれを用いた波動スイッチを提供する。  【解決手段】波動スイッチは、操作ハンドル８の両端部それぞれの表示部８１へ位置表示灯７１から放射された光を導光するスイッチ用プリズム８０とを備える。スイッチ用プリズム８０は、位置表示灯７１と各表示部８１との間それぞれに位置表示灯７１から側方へ放射された光を表示部８１へ導光する導光部８３を備え、各導光部８３の位置表示灯７１側の端部に位置表示灯７１から側方へ放射された光が入射される入射面８３ａが形成され、表示部８１側の端部に光を表示部８１の前面側へ反射により偏向して導く反射面８３ｂが形成されている。【選択図】      図１
2006269291.tif 000002
【特許請求の範囲】
【請求項１】
器体の前面側に器体内の接点を切り換える反転ハンドルを有するスイッチ本体と、反転ハンドルの前面側に結合されて両端部を交互に押操作することにより両端部が交互に起伏動作する操作ハンドルと、操作ハンドルの後面側に設けられた発光源とを備えた波動スイッチに用いられ、操作ハンドルの両端部それぞれにおいて発光源からの光を前方へ出射する表示部へ発光源から放射された光を導光するスイッチ用プリズムであって、発光源と各表示部との間それぞれに発光源から側方へ放射された光を表示部へ導光する導光部を備え、各導光部の発光源側の端部に発光源から側方へ放射された光が入射される入射面が形成され、表示部側の端部に光を表示部へ反射により導く反射面が形成されてなることを特徴とするスイッチ用プリズム。
【請求項２】
前記反射面は、前記入射面とのなす角度が異なる複数の平面の組み合わせにより構成され、前記入射面に近い平面ほど前記入射面とのなす角度が大きいことを特徴とする請求項１記載のスイッチ用プリズム。
【請求項３】
前記反射面は、隣り合う平面が曲面により繋がれていることを特徴とする請求項２記載のスイッチ用プリズム。
【請求項４】
前記導光部に前記表示部が一体に設けられてなることを特徴とする請求項１ないし請求項３のいずれかに記載のスイッチ用プリズム。
【請求項５】
前記表示部における前記入射面側の部位は末広がりの形状に形成されてなることを特徴とする請求項４記載のスイッチ用プリズム。
【請求項６】
前記表示部における前記入射面側の部位に、前記表示部を通して出射される光の出射角度分布を広げる出射角拡大部が連続一体に形成されてなることを特徴とする請求項４または請求項５記載のスイッチ用プリズム。
【請求項７】
前記反射面には、前記表示部の前面において光が法線方向へ出射されるエリアを広げるように光を反射する出射方向調整部が設けられてなることを特徴とする請求項１ないし請求項６のいずれかに記載のスイッチ用プリズム。
【請求項８】
前記各導光部の前記発光源側の端部における前記発光源に対向する部位の幅方向の両側に、前記発光源との対向面と前後方向の両面とが開放されたスリットが形成されてなることを特徴とする請求項１ないし請求項７のいずれかに記載のスイッチ用プリズム。
【請求項９】
前記導光部は、前記発光源側の端部から前記表示部側の端部に向うにつれて幅寸法が漸次減少するテーパ部を有し、テーパ部の両側面が前記発光源からの光の進行方向を反射により変える変向面を構成していることを特徴とする請求項１ないし請求項８のいずれかに記載のスイッチ用プリズム。
【請求項１０】
前記導光部は、前記テーパ部と前記表示部側の端部との間に、前記表示部側の端部に近づくにつれて幅寸法が漸次増加する第２テーパ部を有し、第２テーパ部の両側面が前記発光源からの光の進行方向を反射により変える第２変向面を構成していることを特徴とする請求項９記載のスイッチ用プリズム。
【請求項１１】
前記導光部は、前記窓孔の長手方向を上下方向とするとき、上下対称の形状に形成されてなることを特徴とする請求項９または請求項１０記載のスイッチ用プリズム。
【請求項１２】
前記導光部は乳白材入りの透明樹脂により形成されてなることを特徴とする請求項１ないし請求項１１のいずれかに記載のスイッチ用プリズム。
【請求項１３】
器具取付用の窓孔を備えた取付枠に取付可能な器体および器体の前面側で器体に対して揺動可能となるように保持され器体内の接点を切り換える反転ハンドルを有するスイッチ本体と、反転ハンドルの前面側に結合されて取付枠の前面側に装着するプレートの開口窓内に配置され両端部を交互に押操作することにより両端部が交互に起伏動作する操作ハンドルと、反転ハンドルの両端部の間の部位に露設された発光源と、操作ハンドルの両端部それぞれにおいて発光源からの光を前方へ出射する表示部へ発光源から放射された光を導光するプリズムとを備え、当該プリズムが、請求項１ないし請求項１２のいずれか１項に記載のスイッチ用プリズムからなることを特徴とする波動スイッチ。
【発明の詳細な説明】
【技術分野】
【０００１】
本発明は、波動スイッチに設けられた発光源からの光が外部へ出射されるように導光するスイッチ用プリズムおよびそれを用いた波動スイッチに関するものである。
【背景技術】
【０００２】
従来から、埋込型の配線器具として用いられるスイッチとして、器体の前面側に設けた押釦ハンドルの押圧操作により器体内の接点の切換が行われるスイッチ本体と、スイッチ本体の前面に対向する形で一端部がスイッチ本体に枢着され押釦ハンドルを押し込み可能なピアノハンドルとを備えたピアノハンドル式スイッチ（例えば、特許文献１参照）や、器体の前面側で器体に対して揺動可能となるように保持され器体内の接点を切り換える反転ハンドルを有するスイッチ本体と、反転ハンドルの前面側に結合されて両端部を交互に押操作することにより両端部が交互に起伏動作する操作ハンドルとを備えた波動スイッチ（例えば、特許文献２参照）が知られている。なお、ピアノハンドル式スイッチでは、ピアノハンドルが操作ハンドルを構成している。
【０００３】
上述のピアノハンドル式スイッチのスイッチ本体の器体や波動スイッチのスイッチ本体の器体は埋込型の配線器具用の取付枠（例えば、合成樹脂製の取付枠や、金属製の取付枠）に取付可能に形成されている。取付枠は、器具取付用の長方形状の窓孔が形成されており、施工時には取付枠の前面側にプレート（化粧プレート）が配設され、操作ハンドルの前面がプレートの開口窓を通して露出する。
ここにおいて、上述のピアノハンドル式スイッチや波動スイッチの器体の短手方向の寸法は取付枠の窓孔の長手方向の寸法の略３分の１の寸法に形成されており、この寸法を１個モジュール寸法と呼ぶことにすれば、取付枠には１個モジュール寸法の器体を３個まで取り付けることができ、窓孔内で器体の取付位置を３箇所選択できるようになっている。このように１個モジュール寸法の器体を３個取り付けることができる取付枠を３個用の取付枠と呼ぶことにする。  ここで、窓孔の長手方向に器体の短手方向を一致させて器体を３個用の取付枠に取り付ける場合の３つの取付位置を、それぞれ上端位置、中央位置、下端位置と呼ぶことにし、取付枠に１個モジュール寸法の器体を１個取り付ける際に用いる操作ハンドルであって、プレートの開口窓を１個で覆う程度の寸法を有した操作ハンドルを１個用の操作ハンドルと呼び、同様に、３個用の取付枠に１個モジュール寸法の器体を２個取り付ける際に用いる操作ハンドルであってプレートの開口窓を２個で覆う程度の寸法を有した操作ハンドルを２個用の操作ハンドルと呼ぶことにし、さらに、３個用の取付枠に１個モジュール寸法の器体を３個取り付ける際に用いる操作ハンドルであって、プレートの開口窓を３個で覆う程度の寸法を有した操作ハンドルを３個用の操作ハンドルと呼ぶことにする。
【０００４】
上述した３種類の操作ハンドルの上下方向（器体の短手方向）の寸法の関係は、（１個用の操作ハンドルの上下寸法）≒（２個用の操作ハンドルの上下寸法）×２≒（３個用の操作ハンドルの上下寸法）×３になる。また、プレートの開口窓は取付枠の窓孔よりも長寸かつ広幅であり、この窓孔に器体を挿入して取り付けるから、３個用の操作ハンドルの上下寸法は器体の上下寸法よりも大きくなっている。
【０００５】
したがって、取付枠の窓孔に器体を１個だけ取り付ける場合には、中央位置に器体を取り付けることになり、器体１の上下方向の中心と１個用の操作ハンドルの上下方向の中心とが一致し、取付枠の窓孔に器体を２個だけ取り付ける場合には、上端位置と下端位置とにそれぞれ器体を取り付けることになり、取付枠に対して上端位置および下端位置に取り付けた各器体の上下方向の中心位置と、各操作ハンドルの上下方向の中心位置とが一致する。また、取付枠の窓孔に３個の器体を取り付ける場合には、上端位置と中央位置と下端位置とにそれぞれ器体を取り付けることになるが、上端位置については器体の上下方向の中心よりも操作ハンドルの上下方向の中心が上にずれて位置することになるとともに、下端位置については器体の上下方向の中心よりも操作ハンドルの上下方向の中心が下にずれて位置することになる。要するに、取付枠に３個の器体を取り付ける場合には、上端位置と下端位置とにおいて、器体の上下方向の中心が操作ハンドルの上下方向の中心に一致しない。
【０００６】
ところで、上述のピアノハンドル式スイッチや波動スイッチとしては、位置表示のために点灯する位置表示灯（例えば、ネオンランプなど）や接点への通電時に点灯するパイロット灯（例えば、発光ダイオードなど）などの発光源を有し、操作ハンドルの上下方向の中心に発光源からの光を外部へ出射する表示部を設けた構成のスイッチが提供されているが、取付枠に３個の器体を取り付けた場合には、上述のように上端位置および下端位置の器体の上下方向の中心が操作ハンドルの上下方向の中心に一致しないので、表示部の後面側に光学的に結合されるプリズムを操作ハンドルに設けてある。
【０００７】
例えば、上記特許文献１には、図２７に示すように、３個用の取付枠２００に取り付けられ３個用の操作ハンドル１８０を備えるピアノハンドル式スイッチＢにおいて、３個用の操作ハンドル１８０の一端部における上下方向の中心に表示部１８１を設け（なお、図２７には取付枠２００の前面側に配設され中央部に開口窓３００ａを有するプレート３００を二点鎖線で示してある）、図２８に示すような形状のプリズム１９０を操作ハンドル１８０の後面側に設けることが記載されている。ここにおいて、プリズム１９０は、操作ハンドル１８０の後面側で表示部１８１よりも上下方向に広がる形状であって、発光源１７１の位置が表示部１８１に対して上下にずれている場合でも、発光源ＬＤからの光を表示部１８１に導く形状に形成されている。なお、図２８（ａ）には取付枠２００の上端位置に器体が取り付けられたピアノハンドル式スイッチＢにおいて発光源１７１から放射されてプリズム１９０に入射した光の進行経路を二点鎖線で示し、同図（ｂ）には取付枠２００の中央位置に器体が取り付けられたピアノハンドル式スイッチＢにおいて発光源１７１から放射されてプリズム１９０に入射した光の進行経路を二点鎖線で示し、同図（ｃ）には取付枠２００の下端位置に器体が取り付けられたピアノハンドル式スイッチＢにおいて発光源１７１から放射されてプリズム２００に入射した光の進行経路を二点鎖線で示してある。
【０００８】
また、上記特許文献２には、図２９および図３０に示すように、３個用の取付枠２００’に取り付けられ３個用の操作ハンドル２８０を備える波動スイッチＣにおいて、３個用の操作ハンドル２８０の中央部に表示部を設け（なお、図２９および図３０には取付枠２００’の前面側に配設され中央部に開口窓３００ａ’を有するプレート３００’も示してある）、プリズム２９０を操作ハンドル２８０の後面側に設けることが記載されている。ここにおいて、取付枠２００’の上下方向（図３０における左右方向）の中央位置に器体１００が取り付けられる波動スイッチＣでは、操作ハンドル２８０の上下方向の中心とプリズム２９０の中心とを一致させ、上端位置、下端位置に器体１００が取り付けられる波動スイッチＣでは、操作ハンドル２８０の上下方向の中心とプリズム２９０の中心とをずらしてある。
【０００９】
なお、埋込型の配線器具として用いるスイッチとしては、単極単投型のスイッチ（いわゆる片切りスイッチ）、単極双投型のスイッチ（いわゆる３路スイッチ）、２極単投型のスイッチ、いわゆる４路スイッチ（４端子のうちの２端子と残りの２端子とを一対一に接続する２つの接続関係が選択可能なスイッチ）などが知られている。
【特許文献１】特開２００３−２７２４８１号公報
【特許文献２】特開２００１−１７６３５５号公報
【発明の開示】
【発明が解決しようとする課題】
【００１０】
ところで、３路スイッチは、階段灯や廊下灯の点灯・消灯に用いられることが多く、例えば、階段灯の点灯・消灯に用いる場合には、階上と階下とにそれぞれ３路スイッチを配置して階段灯の点灯・消灯のための操作を階上と階下とのいずれにおいても行うことができる。
【００１１】
ここにおいて、波動スイッチにより３路スイッチを構成した場合には、操作ハンドルの同じ端部を押操作したとしても回路が閉じて負荷（例えば、照明負荷）がオンする場合と回路が開いて上記負荷がオフする場合とがあるが、上記特許文献２に記載された波動スイッチＣでは、操作ハンドル２８０の中央部に表示部が設けられているので、操作ハンドル２８０において押力を作用させるべき端部が分かりにいことがあった。
【００１２】
本発明は上記事由に鑑みて為されたものであり、その目的は、波動スイッチの操作ハンドルにおいて押力を作用させるべき端部の表示部へ発光源からの光を導光することができるスイッチ用プリズムおよびそれを用いた波動スイッチを提供することにある。
【課題を解決するための手段】
【００１３】
請求項１の発明は、器体の前面側に器体内の接点を切り換える反転ハンドルを有するスイッチ本体と、反転ハンドルの前面側に結合されて両端部を交互に押操作することにより両端部が交互に起伏動作する操作ハンドルと、操作ハンドルの後面側に設けられた発光源とを備えた波動スイッチに用いられ、操作ハンドルの両端部それぞれにおいて発光源からの光を前方へ出射する表示部へ発光源から放射された光を導光するスイッチ用プリズムであって、発光源と各表示部との間それぞれに発光源から側方へ放射された光を表示部へ導光する導光部を備え、各導光部の発光源側の端部に発光源から側方へ放射された光が入射される入射面が形成され、表示部側の端部に光を表示部へ反射により導く反射面が形成されてなることを特徴とする。
【００１４】
この発明によれば、発光源と操作ハンドルの両端部の各表示部との間それぞれに発光源から側方へ放射された光を表示部へ導光する導光部を備え、各導光部の発光源側の端部に発光源から側方へ放射された光が入射される入射面が形成され、表示部側の端部に光を表示部へ反射により導く反射面が形成されているので、波動スイッチの操作ハンドルの両端部の表示部へ発光源からの光を導光することが可能であり、波動スイッチの操作ハンドルにおいて押力を作用させるべき端部の表示部へ発光源からの光を導光して出射させることができる。
【００１５】
請求項２の発明は、請求項１の発明において、前記反射面は、前記入射面とのなす角度が異なる複数の平面の組み合わせにより構成され、前記入射面に近い平面ほど前記入射面とのなす角度が大きいことを特徴とする。
【００１６】
この発明によれば、前記表示部へ前記発光源からの光をより多く導光することが可能となり、前記表示部をより明るくすることが可能となる。
【００１７】
請求項３の発明は、請求項２の発明において、前記反射面は、隣り合う平面が曲面により繋がれていることを特徴とする。
【００１８】
この発明によれば、前記表示部を見る角度の違いによる明るさの差を小さくすることができる。
【００１９】
請求項４の発明は、請求項１ないし請求項３の発明において、前記導光部に前記表示部が一体に設けられてなることを特徴とする。
【００２０】
この発明によれば、前記各表示部がスイッチ用プリズムと別部品である場合に比べて、波動スイッチの部品点数を少なくでき、波動スイッチの低コスト化および組立性の向上を図れる。
【００２１】
請求項５の発明は、請求項４の発明において、前記表示部における前記入射面側の部位は末広がりの形状に形成されてなることを特徴とする。
【００２２】
この発明によれば、前記表示部を通して出射される光の量をより多くすることができる。
【００２３】
請求項６の発明は、請求項４または請求項５の発明において、前記表示部における前記入射面側の部位に、前記表示部を通して出射される光の出射角度分布を広げる出射角拡大部が連続一体に形成されてなることを特徴とする。
【００２４】
この発明によれば、出射角拡大部と空気との界面で光が屈折するので、前記表示部に出射角拡大部が形成されていない場合に比べて、前記表示部を通して出射される光の出射角度分布を広げることができる。
【００２５】
請求項７の発明は、請求項１ないし請求項６の発明において、前記反射面には、前記表示部の前面において光が法線方向へ出射されるエリアを広げるように光を反射する出射方向調整部が設けられてなることを特徴とする。
【００２６】
この発明によれば、前記表示部の前面において光が法線方向へ出射されるエリアを広げることができる。
【００２７】
請求項８の発明は、請求項１ないし請求項７の発明において、前記各導光部の発光源側の端部における前記発光源に対向する部位の幅方向の両側に、前記発光源との対向面と前後方向の両面とが開放されたスリットが形成されてなることを特徴とする。
【００２８】
この発明によれば、スリットの内面の一部で光が反射されるので、前記導光部ではスリット間の部位を通る光の量が多くなって前記表示部の中央付近に導光される光の量が多くなり、前記表示部の中央付近をより明るくすることができる。
【００２９】
請求項９の発明は、請求項１ないし請求項８の発明において、前記導光部は、前記発光源側の端部から前記表示部側の端部に向うにつれて幅寸法が漸次減少するテーパ部を有し、テーパ部の両側面が前記発光源からの光の進行方向を反射により変える変向面を構成していることを特徴とする。
【００３０】
この発明によれば、前記表示部の中心位置と前記発光源の中心位置とが前記導光部の幅方向にずれても、前記導光部の変向面で反射されて前記反射面へ向う光の量が多くなるので、前記表示部のうち明るく見えるエリアが前記表示部の中心位置と前記発光源の中心位置との相対的な位置関係の違いに起因してばらつくのを抑制することができる。
【００３１】
請求項１０の発明は、請求項９の発明において、前記導光部は、前記テーパ部と前記表示部側の端部との間に、前記表示部側の端部に近づくにつれて幅寸法が漸次増加する第２テーパ部を有し、第２テーパ部の両側面が前記発光源からの光の進行方向を反射により変える第２変向面を構成していることを特徴とする。
【００３２】
この発明によれば、前記器体を中央の取付位置に取り付けた波動スイッチに比べて前記導光部の第２変向面で反射されて前記反射面へ向う光の量が多くなるので、前記表示部のうち明るく見えるエリアが前記取付枠への前記器体の取付位置の違いに起因してばらつくのをより抑制することができる。
【００３３】
請求項１１の発明は、請求項９または請求項１０の発明において、前記導光部は、前記窓孔の長手方向を上下方向とするとき、上下対称の形状に形成されてなることを特徴とする。
【００３４】
この発明によれば、前記取付枠への器体の取付位置にかかわらず、共通利用することができるので、前記取付枠への器体の取付位置に応じて個別のスイッチ用プリズムを用意する場合に比べて、低コスト化を図れる。
【００３５】
請求項１２の発明は、請求項１ないし請求項１１の発明において、前記導光部は乳白材入りの透明樹脂により形成されてなることを特徴とする。
【００３６】
この発明によれば、乳白材の光拡散効果により、前記導光部を乳白材の入っていない透明樹脂により形成した場合に比べて、前記表示部のうち明るく見えるエリアを広げることができ、見栄えが良くなる。
【００３７】
請求項１３の発明は、器具取付用の窓孔を備えた取付枠に取付可能な器体および器体の前面側で器体に対して揺動可能となるように保持され器体内の接点を切り換える反転ハンドルを有するスイッチ本体と、反転ハンドルの前面側に結合されて取付枠の前面側に装着するプレートの開口窓内に配置され両端部を交互に押操作することにより両端部が交互に起伏動作する操作ハンドルと、反転ハンドルの両端部の間の部位に露設された発光源と、操作ハンドルの両端部それぞれにおいて発光源からの光を前方へ出射する表示部へ発光源から放射された光を導光するプリズムとを備え、当該プリズムが、請求項１ないし請求項１２のいずれか１項に記載のスイッチ用プリズムからなることを特徴とする。
【００３８】
この発明によれば、操作ハンドルの操作位置に関わらず表示部を通して発光源から光が出射されるので、前記表示灯の状態を視認することができる。
【発明の効果】
【００３９】
本発明によれば、波動スイッチの操作ハンドルの両端部の表示部へ発光源からの光を導光することが可能であり、波動スイッチの操作ハンドルにおいて押力を作用させるべき端部の表示部へ発光源からの光を導光して出射させることができるという効果がある。
【発明を実施するための最良の形態】
【００４０】
（実施形態１）
以下、本実施形態の波動スイッチについて図１〜図１２を参照しながら説明する。
【００４１】
本実施形態の波動スイッチは、器具取付用の窓孔２ａを備えた取付枠２に取付可能な器体１および器体１の前面側で器体１に対して揺動可能となるように保持され器体１内の接点を切り換える反転ハンドル５０を有するスイッチ本体Ａと、反転ハンドル５０の前面側に結合されて取付枠２の前面側に装着するプレート３の開口窓３ａ内に配置され両端部を交互に押操作することにより両端部が交互に起伏動作する操作ハンドル８とを備えている。ここにおいて、プレート３の開口窓３ａは取付枠２の窓孔２ａよりも長寸且つ広幅に形成されている。なお、本実施形態では、スイッチ本体Ａと取付枠２とプレート３とでスイッチ装置を構成している。
【００４２】
以下では、まず、スイッチ本体Ａについて説明する。
【００４３】
スイッチ本体Ａの器体１は、前面が開口した直方体状の合成樹脂成形品のボディ１０と、矩形枠状に形成されボディ１０の前面側に結合される合成樹脂成形品のカバー２０とにより構成される。ボディ１０の幅方向（短手方向）における両外側面にはボディ１０の長手方向に離間して各一対の組立突起１１が突設され、カバー２０の後端縁からは組立舌片２１が後方に延設され、組立舌片２１に設けた組立孔２１ａに組立突起１１が係合することによってボディ１０とカバー２０とが結合されている。
【００４４】
ボディ１０は、長手方向の一端部（図１における左端部）に２個の端子板３１，３２が収納される一方で他端部（図１における右端部）に１個の端子板３３が収納され、長手方向の中央部には前方に開放されたコ字状である開閉子４０が収納されている。
【００４５】
端子板３３にはボディ１０の内底面に沿ってボディ１０の中央部に向かう向きに支持片３３ｄが延設され、支持片３３ｄの先端部には前方に突出するへ字状に屈曲された支点突部３３ｅが形成されている。開閉子４０は、支点突部３３ｅの先端に当接するように配置され、支点突部３３ｅの先端付近を支点として揺動可能になる。
【００４６】
端子板３１，３２は、互いに異なる長さの接点保持片３１ｄ，３２ｄを延設してあり、両接点保持片３１ｄ，３２ｄの先端部に設けた固定接点４１ａ，４１ｂの間に上述の開閉子４０を配置してある。開閉子４０は、両脚片にそれぞれ可動接点４２ａ，４２ｂを設け、各可動接点４２ａ，４２ｂが各固定接点４１ａ，４１ｂに対して離接するようにしてある。つまり、可動接点４２ａと固定接点４１ａとで１つの接点を構成し、可動接点４２ｂと固定接点４１ｂとで１つの接点を構成している。
【００４７】
端子板３１，３２にはそれぞれ１個ずつの鎖錠ばね３４が収納され、端子板３３には２個の鎖錠ばね３４が収納されている。鎖錠ばね３４は、帯状の板ばねの一端部をＳ字状に曲成して接触片３４ａを形成し、他端部をＪ字状に曲成して鎖錠片３４ｂを形成し、接触片３４ａと鎖錠片３４ｂとの間を接続片３４ｃにより連続一体に連結した形状に形成される。また、接触片３４ａおよび鎖錠片３４ｂは接続片３４ｃに対して厚み方向の同じ側に突出する。また、ボディ１０の後壁において各鎖錠ばね３４に対応する部位には電線挿入孔１２（図１参照）が穿孔されており、電線挿入孔１２を通してボディ１０の内部に電線を挿入することにより、電線の先端部が鎖錠ばね３４の鎖錠片３４ｂおよび接触片３４ａと端子板３１，３２，３３との間に挟持されるようにしてある。ここに、鎖錠片３４ｂは接続片３４ｃの後端から斜め前方に向かって延設されており、つまりは、電線の挿入方向において接続片３４ｃから離れる向きに延設されており、電線挿入孔１２を通して挿入された電線は鎖錠片３４ｂの先端縁が食い込むことにより、電線に作用する引張力に抗するようになっている。ボディ１０の上記一端部には、各端子板３１，３２それぞれに１個ずつ設けた２個の鎖錠ばね３４の鎖錠片３４ｂに跨るように配置した解除釦３５が収納され、ボディ１０の上記他端部には、端子板３３に設けた一対の鎖錠ばね３４の鎖錠片３４ｂに跨るように配置した解除釦３５が収納されている。解除釦３５はボディ１０の後壁に穿孔した操作孔１５（図１参照）を通してボディ１０の中に挿入されるマイナスドライバのような工具によって押圧可能であって、解除釦３５を工具で押圧すると鎖錠片３４ｂの先端が接続片３４ｃに近づく向きに撓み、電線を保持する力が低減するようになっている。つまり、解除釦３５を押圧した状態で電線を引き抜くことができるようにしてある。この種の端子の構成は速結端子として知られている。
【００４８】
ところで、カバー２０の中央部の開口窓２２には合成樹脂成形品の反転ハンドル５０がカバー２０に対して揺動自在に枢支された形で装着されている。ここにおいて、反転ハンドル５０は、矩形枠状に形成された反転ハンドル本体５０ａと、反転ハンドル本体５０ａの内側に配置される後面開口した筒部５２とが、反転ハンドル本体５０ａから延設された４つの支持片５４を介して反転ハンドル本体５０ａに連続一体に連結されている。また、カバー２０の長手方向の中央部であって幅方向の両側部には開口窓２２の周縁から前方に突出する一対の軸受突片２３が突設され、両軸受突片２３の対向面には反転ハンドル５０の短手方向の外側面に突設された軸突起５１が挿入される軸受凹所２４が形成され、軸受突片２３の前端部同士がカバー２０の長手方向に離間した２つの遮光片２５（遮光片２５の機能については後述する）を介して連続一体に連結されている。軸突起５１が軸受凹所２４に挿入された状態では軸突起５１の前端部を支点として反転ハンドル５０がカバー２０に対して揺動可能になる。反転ハンドル５０の筒部５２と開閉子４０との間にはコイルばねからなる反転ばね４４が保持されている。また、反転ハンドル５０の長手方向の両端面には操作ハンドル８を結合するための結合爪５３がそれぞれ突設されており、反転ハンドル５０の前面側にはカバー２０の前面に重複する操作ハンドル８が着脱可能に結合されている。ここにおいて、操作ハンドル８の後面には反転ハンドル５０に設けた結合爪５３に係合する脚爪８５ａを先端部に有する結合脚８５が突設されており、操作ハンドル８の後面と脚爪８５ａとの間で反転ハンドル５０が保持され、結果的に操作ハンドル８が反転ハンドル５０に固定されることになる。
【００４９】
したがって、操作ハンドル８の両端部を交互に押し込むことによって、反転ばね４４から開閉子４０に作用するばね力の向きが反転し、いずれか一方の可動接点４２ａ，４２ｂが、当該可動接点４２ａ，４２ｂに対応する固定接点４１ａ，４１ｂに接触するようになっている。つまり、端子板３３は、２個の端子板３１，３２のいずれか一方に択一的に接続されることになる。この種のスイッチは３路スイッチとして知られているものである。
【００５０】
また、上述の端子板３１，３２には導電性の金属板からなる接触子４７が固着されている。各接触子４７は後述の回路基板７０に弾接するように弾性が付与されており、反転ハンドル５０の揺動にかかわらず接触子４７がつねに回路基板７０に弾接するようにしてある。回路基板７０にはネオンランプからなる位置表示灯７１と抵抗７２と抵抗７３との直列回路が実装され、この直列回路の各一端にそれぞれ接触子４７が接触する。本実施形態のスイッチのような３路スイッチは階段灯の点灯・消灯に用いられることが多く、階上と階下とにそれぞれ３路スイッチを配置して階段灯の点灯・消灯とを階上と階下とのいずれにおいても操作可能とすることができる。したがって、両固定接点４１ａ，４１ｂの間に位置表示灯７１と抵抗７２と抵抗７３との直列回路を挿入しておけば、階段灯の消灯時に位置表示灯７１を点灯させることができ、後述のように位置表示灯７１から放射された光が操作ハンドル８の両端部に設けた表示部８１のいずれか一方から択一的に前方へ出射されるようになっているので、階段灯のような照明器具の消灯時において位置表示灯７１が点灯することにより暗がりでもスイッチの場所を容易に見つけることができるようになる。この種の回路の接続関係は周知であるから説明を省略する。
【００５１】
回路基板７０は、中央部に円形状の圧入孔７４が形成されており、反転ハンドル５０に設けた筒部５２が圧入孔７４に圧入されることによって、反転ハンドル５０に保持されている。反転ハンドル５０の筒部５２の前壁には、位置表示灯７１を位置決めする位置決め凹部５２ａが形成されており、位置表示灯７１は反転ハンドル５０の前面から露出して設けられている。また、反転ハンドル本体５０ａ内には、上述の回路基板７０に位置表示灯７１および各抵抗７２，７３を実装した表示灯ブロックを覆う合成樹脂成形品からなる遮光カバー６０の一部が収納されている。ここにおいて、遮光カバー６０は、長手方向の両側面に各一対の係止爪６１が突設されており、反転ハンドル本体５０ａの長手方向の内側面の後端部には、各係止爪６１が引掛係止される引掛爪５５が設けられている。
【００５２】
遮光カバー６０は、各抵抗７２，７３を覆う部位よりも位置表示灯７１を覆う部位が前方へ突出しており、位置表示灯７１を覆う部位の両側壁には、位置表示灯７１からの光を透過させるための透孔６２が貫設されており、後述のハンドルパネル９０とともに操作ハンドル８を構成するスイッチ用プリズム８０により位置表示灯７１からの光がいずれか一方の表示部８１へ択一的に導光され表示部８１の前面を通して外部へ出射されるようになっている。スイッチ用プリズム８０および遮光カバー６０の機能については後述する。
【００５３】
上述の器体１は、カバー２０の長手方向の両側面に、各一対の取付爪２６，２６が突設されている。ここでは詳しく説明しないが、取付爪２６，２６は取付枠２に設けた保持溝１２７ａ，１２７ｂ（図１３参照）に係合することによって器体１を取付枠２に保持させるために設けてあり、壁面などの施工面に器体１の一部を埋め込む形で施工する際に、施工面に固定される取付枠２への器体１の結合作業が容易になっている。
【００５４】
本実施形態の波動スイッチを壁面のような施工面に取り付ける際には、上述の器具取付用の窓孔２ａを備え器体１を保持する取付枠２と、取付枠２を覆うプレート３とを用いる。取付枠２は合成樹脂製であって絶縁性を有し、器体１の前面を露出させる窓孔２ａを中央部に備えた矩形枠状に形成されている。取付枠２の窓孔２ａの長手方向に沿った両側縁の後面側にはそれぞれ帯板状の固定梁部１２４と可動梁部１２５とが互いに対向する形で設けてある。
【００５５】
固定梁部１２４および可動梁部１２５において窓孔２ａに望む一面には、器体１の両側面に各一対ずつ突設された取付爪２６と係合する器具取付手段としての取付孔たる保持溝１２７ａ，１２７ｂが各々３対ずつ設けてある。したがって、取付爪２６を各保持溝１２７ａ，１２７ｂに凹凸係合させると、器体１の前面を窓孔２ａから露出させた形で取付枠２に器体１を取着することができる。要するに、取付枠２に波動スイッチの器体１を取り付けるには、器体１を取付枠２の後方から挿入して器体１の長手方向の一側面に突設した取付爪２６を固定梁部１２４の保持溝１２７ａに係合させておき、器体１を取付枠２に対して前方へ押し込むと、器体１の他側面に突設した取付爪２６が可動梁部１２５を撓ませ、取付爪２６を保持溝１２７ｂに容易に係合させることができる。上述の説明から分かるように、取付枠２は長手方向に３組の器具取付手段を備えている。
【００５６】
一方、固定梁部１２４の基部には隣接する各一対の保持溝１２７ａの間で取付枠２の表裏に貫通する器具外し孔１２６が穿設してあり、器体１を取付枠２に取着した状態で、ドライバや取り外し専用の冶具などの先端部分を器具外し孔１２６に挿入し、冶具の先端部分で器体１を可動梁部１２５側へ押すと梃子の原理によってわずかな力で可動梁部１２５を撓ませることができ、固定梁部１２４側の保持溝１２７ａと器体１の取付爪２６との係合状態を解除して取付枠２から器体１を取り外すことができるようになっている。
【００５７】
また、取付枠２は壁に埋込配設された埋込ボックス（図示せず）の開口側に設けた取付舌片に螺合するボックスねじを挿通するための一対の長孔２ｂが形成され、さらに、施工面が石膏ボードのようなパネル材であるときに使用するはさみ金具の一端部を係止するはさみ金具取付孔２ｄが各長孔２ｂの両側に形成されている。また、プレート３の係止片（図示せず）が挿入係止されるプレート係止孔２ｃが四隅に形成されている。
【００５８】
取付枠２の前面側に着脱自在に結合されるプレート３は、取付枠２と同様に合成樹脂によって矩形枠状に形成されて、取付枠２に結合するための上述の４本の係止片がそれぞれ後面の四隅から突設されている。ここに、本実施形態の波動スイッチは、プレート３の中央部の開口窓３ａを通して操作ハンドル８の一部をプレート３の前方に突出させることができ、操作ハンドル８を操作することができることになる。なお、操作ハンドル８は、両端部を交互に押操作することにより両端部が交互に起伏動作する
本実施形態の波動スイッチの器体１の短手方向の寸法は取付枠２の窓孔２ａの長手方向の寸法の略３分の１の寸法に形成されており、この寸法を１個モジュール寸法と呼ぶことにすれば、取付枠２には１個モジュール寸法の器体１を３個まで取り付けることができ、窓孔２ａ内で器体１の取付位置を３箇所選択できるようになっている。したがって、従来例と同様に、窓孔２ａの長手方向に器体１の短手方向を一致させて器体１を３個用の取付枠に取り付ける場合の３つの取付位置を、それぞれ上端位置、中央位置、下端位置と呼ぶことにする。また、本実施形態における操作ハンドル８は、３個用の取付枠２に１個モジュール寸法の器体１を中央位置のみに取り付ける際に用いるものであって、プレート３の開口窓３ａを１個で覆う程度の寸法を有しているので、従来例と同様に、１個用の操作ハンドルと呼ぶことにする。  ところで、操作ハンドル８は、スイッチ用プリズム８０とフェースパネル９０とを結合することにより構成してあり、全体として、プレート３の開口窓３ａを１個で覆う程度の外形寸法に形成されている。ここにおいて、スイッチ用プリズム８０には上述の各表示部８１が連続一体に形成される一方で、フェースパネル９０の矩形板状のパネル本体９１は、プレート３の開口窓３ａの長手方向に沿った上下方向の寸法を操作ハンドル８の上下方向の寸法に一致させ且つプレート３の開口窓３ａの短手方向に沿った左右方向の寸法を操作ハンドル８の左右方向の寸法よりも短くしてあり、パネル本体９１の左右両側に上述の表示部８１が配置されている。したがって、操作ハンドル８は、パネル本体９１の前面および各表示部８１の前面がプレート３の開口窓３ａを通して露出する。また、フェースパネル９０は、パネル本体９１の上下両端部それぞれから後方に向かって突出片９２が延設されており、各突出片９２の後端部には、スイッチ用プリズム８０の表示部８１の上端部同士および下端部同士を連続一体に連結する連結片８６の後端縁に係止される係止爪９２ａが形成されている。なお、パネル本体９１の前面には、左右両端部の上下方向の中心位置に押位置指示突起９３が突設されており、左右両端部において押力を作用させるのに望ましい位置が手触りで分かるようになる。
【００５９】
スイッチ用プリズム８０は、発光源である位置表示灯７１からの光を操作ハンドル２の前面側へ導くように形成された透明合成樹脂の成形品であり、位置表示灯７１と各表示部８１との間それぞれに配置され位置表示灯７１から側方へ放射された光を表示部８１，８１へ導光する導光部８３，８３と、両導光部８３，８３の前端部同士を連続一体に連結する橋連片８２とを備えており、両導光部８３，８３と橋連片８２とで囲まれる空間からなる収納部内に位置表示灯７１が配置され、位置表示灯７１から前方へ放射される光は遮光カバー６０のうち位置表示灯７１の前方に位置する部位により遮光されるようになっている。ここにおいて、橋絡片８２は、前方に凸となる形で湾曲している。なお、上述の反転ハンドル５０に設けた結合爪５３に係合する脚爪８５ａを先端部に有する結合脚８５は、各導光部８３，８３の後面から突設されている。
【００６０】
各導光部８３は、位置表示灯７１側の端部に位置表示灯７１から側方へ放射された光が入射される入射面８３ａが形成され、表示部８１側の端部に光を表示部８１の前面側へ反射により偏向して導く反射面８３ｂが形成されている。したがって、位置表示灯７１から側方へ放射され入射面８３ａから導光部８３へ入射した光は反射面８３ａで前方へ反射されて表示部８１の前面からなる表示面を通して前方へ放射される。ここにおいて、各導光部８３は、反射面８３ｂにより反射された光を出射する出射部が上述の表示部８１を兼ねている。要するに、本実施形態では、各導光部８３に表示部８１が一体に設けられており、表示部８１，８１がスイッチ用プリズム８０とは別部品である場合に比べて、部品点数を少なくでき、低コスト化および組立性の向上を図れる。なお、各導光部８３は、後面が平面状であって、位置表示灯７１側の端部から表示部８１側の端部に近づくにつれて前後方向の厚み寸法が徐々に大きくなっており、パネル本体９１の後面において、各導光部８３の位置表示灯７１側の端部に対向する部位からリブ９１ａが突設されている。
【００６１】
上述の導光部８３の反射面８３ｂは図８に示すように導光部８３の後面とのなす角度が異なる２つの平面８３ｂ１，８３ｂ２の組み合わせにより構成され、導光部８３の後面と入射面８３ａに近い側の平面８３ｂ１とのなす角度θ１を３５°、導光部８３の後面と入射面８３ａから遠い側の平面８３ｂ２とのなす角度θ２を４５°としてあり、位置表示灯７１から側方へ放射され入射面８３ａから導光部８３内へ入った光は同図中に二点鎖線で示したように各平面８３ｂ１，８３ｂ２で表示部８１へ向って反射されて表示部８１の表示面から前方へ放射される。なお、角度θ１，θ２の値は特に限定するものではない。
【００６２】
上述のスイッチ用プリズム８０では、導光部８３の反射面８３ｂを導光部８３の後面とのなす角度が異なる２つの平面８３ｂ１，８３ｂ２（導光部８３の後面と入射面８３ａとのなす角度は略９０°であり、２つの平面８３ｂ１，８３ｂ２は入射面８３ａとのなす角度が異なり、入射面８３ａに近い平面８３ｂ１の方が入射面８３ａとのなす角度が大きくなっている）により構成してあるので、反射面８３ｂを１つの平面により構成する場合に比べて、表示部８１へ位置表示灯７１からの光をより多く導光することが可能となり、表示部８１をより明るくすることが可能となる。ただし、反射面８３ｂは、導光部８３の後面とのなす角度が異なり入射面８３ａから遠いほど当該角度を大きくした３つ以上の平面により構成してもよいし、図９に示すように、導光部８３の後面とのなす角度が異なる２つの平面８３ｂ１，８３ｂ２（言い換えれば、入射面８３ａとのなす角度が異なる２つの平面８３ｂ１，８３ｂ２）の組み合わせにより構成し、当該２つの平面８３ｂ１，８３ｂ２が両平面８３ｂ１，８３ｂ２それぞれと滑らかに連続する断面円弧状の曲面（図９では、曲面の曲率半径Ｒを１０ｍｍとしてある）により繋がれている形状としてもよく、反射面８３ｂを図９のような形状に形成した場合には、反射面８３ｂが図８のような形状に形成されている場合に比べて、表示部８１へ位置表示灯７１からの光をより多く導光することが可能となって、表示部８１をより明るくすることが可能となり、しかも、表示部８１から出射される出射光の角度分布も広がるので、表示部８１を見る角度の違いによる明るさの差を小さくすることができる。なお、反射面８３ｂについては、入射面８３ａとのなす角度が異なる３つ以上の平面の組み合わせにより構成し、隣り合う平面が曲面により繋がれた形状としてもよいし、全体を曲面により形成してもよい。
【００６３】
また、上述のスイッチ用プリズム８０では、図１０（ｂ）に示すように表示部８１における入射面８３ａ側の部位が、末広がりの形状に形成されている（表示部８１における入射面８３ａ側の側面はテーパ面８１ｃとなっている）ので、図１０（ａ）に示すように表示部８１における入射面８３側の部位が末広がりの形状に形成されていない場合に比べて、表示部８１の前面からなる表示面の面積を増やすことなく表示部８１へ導光される光の量を多くでき（表示部８１近傍での光損失を少なくでき）、表示部８１を通して出射される光の量（光量）をより多くすることができる。なお、図１０（ａ），（ｂ）中に二点鎖線で示した矢印は光の進行経路を表している。
【００６４】
また、上述のスイッチ用プリズム８０では、図１１に示すように、表示部８１における入射面８３ａ側の部位に前方へ突出するかまぼこ状の突起（前方に凸となる曲面を有する突起）８１ｂが連続一体に形成されているので、図１２中に二点鎖線で示したようにかまぼこ状の突起８１ｂと空気との界面で光が屈折することとなり、表示部８１に突起８１ｂが形成されていない場合に比べて、表示部８１を通して出射される光の出射角度分布を広げることができる。なお、本実施形態では、上記突起８１ｂが、表示部８１を通して出射される光の出射角度分布を広げる出射角拡大部を構成している。
【００６５】
ところで、位置表示灯７１から左右両側方へ放射される光は遮光カバー６０の左右両側に形成された透孔６２を通して各導光部８３の入射面８３ａへ入射可能となっているが、図１のように操作ハンドル８の右端部が左端部よりも後方（図の下方）に位置するときには、位置表示灯７１から右側方へ放射される光がカバー２０の右側の遮光片２５により遮光される状態（右側の透孔６２と右側の導光部８３の入射面８３ａとの間に遮光片２５が位置する状態）になり、位置表示灯７１から左側方へ放射された光のみが遮光カバー６０の左側の透孔６２を通して左側の導光部８３の入射面８３ａへ入射し、左側の表示部８１の前面から前方へ出射される。図１とは逆に、操作ハンドル８の左端部が右端部よりも後方に位置するときには、位置表示灯７１から左側方へ放射される光がカバー２０の左側の遮光片２５により遮光される状態（左側の透孔６２と左側の導光部８３の入射面８３ａとの間に遮光片２５が位置する状態）になり、位置表示灯７１から右側方へ放射される光のみが遮光カバー６０の右側の透孔６２を通して右側の導光部８３の入射面８３ａへ入射し、右側の表示部８１の前面から前方へ出射される。
【００６６】
しかして、上述の３路スイッチを構成する本実施形態の波動スイッチでは、回路が開いて照明負荷がオフのときには発光源たる位置表示灯７１が点灯し、操作ハンドル８の両端部の表示部８１へ位置表示灯７１からの光を導光して外部へ出射させることが可能であり、しかも、照明負荷をオンさせるために操作ハンドル８において押力を作用させるべき端部の表示部８１のみから位置表示灯７１からの光を出射させることができるので、発光源として１個の位置表示灯７１しか用いていないにもかかわらず、操作ハンドル８において押力を作用させるべき端部を暗がりでも容易に視認することができる。
【００６７】
ところで、導光部８３の反射面８３ｂに、図１４（ｂ）に示すように、表示部８１の前面において光が法線方向へ出射されるエリアを広げるように光を反射する楔状の溝８３ｄを設けておけば、図１４（ａ）に示すように反射面８３ｂに楔状の溝８３ｄが設けられていない場合に比べて、表示部８１の前面において光が法線方向へ出射されるエリアを広げることができ、表示部８１をより視認しやすくなる。なお、図１４（ａ），（ｂ）には、表示部８１のうち位置表示灯７１からの光により、表示部７１の正面に位置する人の眼に明るく見える部位の上下方向における幅を、一点鎖線で示してある。また、本実施形態では、反射面８３ｂに設けた上述の楔状の溝８３ｄが、表示部８１の前面において光が法線方向へ出射されるエリアを広げるように光を反射する出射方向調整部を構成しているが、出射方向調整部は楔状の溝に限定されるものではない。
【００６８】
また、図１５に示すように、導光部８３の位置表示灯７１側の端部における位置表示灯７１に対向する部位の幅方向の両側に、位置表示灯７１との対向面と前後方向の両面とが開放されたスリット８４を形成しておけば（なお、図１５では上述の橋絡片８２の図示を省略してある）、図１６（ｂ）中に二点鎖線で示すように入射面８３ａを通して導光部８３の内部に入った光の一部がスリット８４の内面の一部で反射されるので、導光部８３ではスリット８４，８４間の部位を通る光の量が多くなって表示部８１の上下方向の中央付近に導光される光の量が多くなり、図１６（ａ）に示すようにスリット８４が形成されていない場合に比べて、表示部８１の上下方向の中央付近をより明るくすることができる。なお、導光部８３に設けるスリット８４間の間隔は、上下方向における位置表示灯７１の外形寸法よりも大きく設定してある。
【００６９】
（実施形態２）
本実施形態における波動スイッチの基本構成は実施形態１と略同じであって、図１７および図１８に示すように、操作ハンドル８の大きさが実施形態１と相違する。つまり、本実施形態では、操作ハンドル８の大きさが実施形態１にて説明した１個用の操作ハンドル８の大きさとは相違する。なお、実施形態１と同様の構成要素には同一の符号を付して説明を省略する。
【００７０】
本実施形態における操作ハンドル８は、プレート３の開口窓３ａを２個で覆う程度の寸法に形成されているので、従来例と同様に、２個用の操作ハンドル８と呼ぶことにする。すなわち、２個用の操作ハンドル８は、プレート３の開口窓３ａの短手方向に沿う方向の寸法が１個用の操作ハンドル８と同じで且つ長手方向に沿う方向の寸法が１個用の操作ハンドル８の略２分の１の寸法に設定されており、フェースパネル９０およびスイッチ用プリズム８０（図１９参照）の上下方向の外形寸法も実施形態１におけるフェースパネル９０およびスイッチ用プリズム８０の略２分の１の寸法に設定されている。
【００７１】
しかして、本実施形態の波動スイッチは、３個用の取付枠２の３箇所の取付位置のうち上端位置と下端位置との２箇所に取り付けて使用することができる。なお、本実施形態では、２個の波動スイッチと取付枠２とプレート３とでスイッチ装置を構成している。
【００７２】
（実施形態３）
本実施形態における波動スイッチの基本構成は実施形態１と略同じであって、図２０〜図２２に示すように、操作ハンドル８の大きさが実施形態１と相違する。つまり、本実施形態では、操作ハンドル８の大きさが実施形態１にて説明した１個用の操作ハンドル８の大きさとは相違する。なお、実施形態１と同様の構成要素には同一の符号を付して説明を省略する。
【００７３】
本実施形態における操作ハンドル８は、プレート３の開口窓３ａを３個で覆う程度の寸法に形成されているので、従来例と同様に、３個用の操作ハンドル８と呼ぶことにする。すなわち、３個用の操作ハンドル８は、プレート３の開口窓３ａの短手方向に沿う方向の寸法が１個用の操作ハンドル８と同じで且つ長手方向に沿う方向の寸法が１個用の操作ハンドル８の略３分の１の寸法に設定されており、フェースパネル９０およびスイッチ用プリズム８０の上下方向の外形寸法も実施形態１におけるフェースパネル９０およびスイッチ用プリズム８０の略３分の１の寸法に設定されている。
【００７４】
しかして、本実施形態の波動スイッチは、３個用の取付枠２の３箇所の取付位置である上端位置と中央位置と下端位置との３箇所に取り付けて使用することができる。なお、本実施形態では、３個の波動スイッチと取付枠２とプレート３とでスイッチ装置を構成している。
【００７５】
ところで、本実施形態における操作ハンドル８では、フェースパネル９０とスイッチ用プリズム８０との結合構造が実施形態１とは異なっている。すなわち、本実施形態では、スイッチ用プリズム８０に実施形態１にて説明した連結片８６を設けずに、各導光部８３の両側面から引掛爪８７を延設し、４つの引掛爪８７それぞれに係合する４つの係合爪９４をフェースパネル９０におけるパネル本体９１の後面に突設してある。
【００７６】
また、本実施形態におけるスイッチ用プリズム８０の導光部８３は、図２３および図２４に示すように、位置表示灯７１側の端部から表示部８１側の端部に向うにつれて幅寸法が漸次減少するテーパ部を有し、テーパ部の両側面８３ｃ，８３ｃが位置表示灯７１からの光の進行方向を反射により変える変向面を構成している。また、導光部８３は、上記テーパ部と表示部８１側の端部との間に、表示部８１側の端部に近づくにつれて幅寸法が漸次増加する第２テーパ部を有し、第２テーパ部の両側面８３ｄ，８３ｄが位置表示灯７１からの光の進行方向を反射により変える第２変向面を構成している。
【００７７】
図２４には取付枠２の上端位置（上端の取付位置）に取り付けた波動スイッチと中央位置に取り付けた波動スイッチとについて位置表示灯７１から放射され表示部８１へ導光される光の進行経路を二点鎖線で示してある。図２４から分かるように、上端位置に取り付けられた波動スイッチでは、上下方向における位置表示灯７１の中心と表示部８１の中心とがずれているが、中央位置（中央の取付位置）に取り付けられた波動スイッチに比べて導光部８３の変向面８３ｃや第２変更面８３ｄで反射されて反射面８３ｂへ向う光の量が多くなり、同様に、取付枠２の下端位置（下端の取付位置）に取り付けた波動スイッチについても、中央位置に取り付けられた波動スイッチに比べて導光部８３の変向面８３ｃや第２変更面８３ｄで反射されて反射面８３ｂへ向う光の量が多くなるので、表示部８１のうち上下方向において明るく見えるエリアが取付枠２への器体１の取付位置の違いに起因してばらつくのを抑制することができる。要するに、表示部８１の中心位置と位置表示灯７１の中心位置とが導光部８３の幅方向にずれても、導光部８３の変向面８３ｃや第２変更面８３ｄで反射されて反射面８３ｂへ向う光の量が多くなるので、表示部８１のうち明るく見えるエリアが表示部８１の中心位置と位置表示灯７１の中心位置との相対的な位置関係の違いに起因してばらつくのを抑制することができる。なお、図２５には各操作ハンドル８の表示部８１において位置表示灯７１からの光が比較的多く出射される部位を模式的に示してあり、その右側に、表示部８１における実際の発光パターンを図示してある。この実際の発光パターンから、表示部８１のうち上下方向において明るく見えるエリアが取付枠２への器体１の取付位置の違いに起因してばらつくのを抑制されていることが分かる。
【００７８】
上述の図２３および図２４に示した例では、スイッチ用プリズム８０が、導光部８３にテーパ部および第２テーパ部を有しているが、図２６に示すようにテーパ部のみを有した形状としてもよい、
なお、本実施形態のスイッチ用プリズム８０では、取付枠２の窓孔２ａの長手方向を上下方向とするとき、導光部８３の形状を上下対称の形状に形成してあるので、取付枠２への器体１の取付位置にかかわらず、共通利用することができ、取付枠２への器体１の取付位置に応じて個別のスイッチ用プリズムを用意する場合に比べて、低コスト化を図れる。
【００７９】
ところで、上記各実施形態において、スイッチ用プリズム８０を乳白材入りの透明樹脂により形成すれば、乳白材の光拡散効果により、スイッチ用プリズム８０を乳白材の入っていない透明樹脂により形成した場合に比べて表示部８１のうち明るく見えるエリアを広げることができ、見栄えが良くなる。
【図面の簡単な説明】
【００８０】
【図１】実施形態１における波動スイッチの断面図である
【図２】同上における波動スイッチと取付枠とプレートとを備えたスイッチ装置の分解斜視図である。
【図３】同上におけるスイッチ装置の外観斜視図である。
【図４】同上におけるスイッチ装置の正面図である。
【図５】同上におけるスイッチ本体の外観斜視図である。
【図６】同上におけるスイッチ本体の分解斜視図である。
【図７】同上におけるスイッチ用プリズムを示し、（ａ）は正面図、（ｂ）は断面図である。
【図８】同上におけるスイッチ用プリズムの要部説明図である。
【図９】同上におけるスイッチ用プリズムの他の構成例の要部説明図である。
【図１０】同上におけるスイッチ用プリズムの要部説明図である。
【図１１】同上におけるスイッチ用プリズムの要部説明図である。
【図１２】同上におけるスイッチ用プリズムの要部説明図である。
【図１３】同上における取付枠を示し、（ａ）は正面図、（ｂ）は背面図である。
【図１４】同上におけるスイッチ用プリズムの他の構成例の要部説明図である。
【図１５】同上におけるスイッチ用プリズムの他の構成例の概略正面図である。
【図１６】同上におけるスイッチ用プリズムの他の構成例の要部説明図である。
【図１７】実施形態２における波動スイッチと取付枠とプレートとを備えたスイッチ装置の正面図である。
【図１８】同上におけるスイッチ装置の側面図である。
【図１９】同上におけるスイッチ用プリズムの正面図である。
【図２０】実施形態３における波動スイッチと取付枠とプレートとを備えたスイッチ装置の分解斜視図である。
【図２１】同上におけるスイッチ装置の斜視図である。
【図２２】同上におけるスイッチ装置の正面図である。
【図２３】同上におけるスイッチ用プリズムの概略正面図である。
【図２４】同上におけるスイッチ用プリズムの要部説明図である。
【図２５】同上における波動スイッチの動作説明図である。
【図２６】同上におけるスイッチ用プリズムの他の構成例を示し、（ａ）は概略正面図、（ｂ）は概略背面図である。
【図２７】従来例を示すピアノハンドルスイッチを取付枠に取り付けた状態の概略正面図である。
【図２８】同上のピアノハンドルスイッチに用いるプリズムの説明図である。
【図２９】他の従来例を示す波動スイッチを取り付けた取付枠の前面側にプレートを配設した状態の概略斜視図である。
【図３０】同上の概略断面図である。
【符号の説明】
【００８１】
Ａ  スイッチ本体
１  器体
８  操作ハンドル
１０  ボディ
２０  カバー
２５  遮光片
５０  反転ハンドル
６０  遮光カバー
７１  位置表示灯
８０  スイッチ用プリズム
８１  表示部
８３  導光部
８３ａ  入射面
８３ｂ  反射面
９０  フェースパネル
【図１】
2006269291.tif 000003
【図２】
2006269291.tif 000004
【図３】
2006269291.tif 000005
【図４】
2006269291.tif 000006
【図５】
2006269291.tif 000007
【図６】
2006269291.tif 000008
【図７】
2006269291.tif 000009
【図８】
2006269291.tif 000010
【図９】
2006269291.tif 000011
【図１０】
2006269291.tif 000012
【図１１】
2006269291.tif 000013
【図１２】
2006269291.tif 000014
【図１３】
2006269291.tif 000015
【図１４】
2006269291.tif 000016
【図１５】
2006269291.tif 000017
【図１６】
2006269291.tif 000018
【図１７】
2006269291.tif 000019
【図１８】
2006269291.tif 000020
【図１９】
2006269291.tif 000021
【図２０】
2006269291.tif 000022
【図２１】
2006269291.tif 000023
【図２２】
2006269291.tif 000024
【図２３】
2006269291.tif 000025
【図２４】
2006269291.tif 000026
【図２５】
2006269291.tif 000027
【図２６】
2006269291.tif 000028
【図２７】
2006269291.tif 000029
【図２８】
2006269291.tif 000030
【図２９】
2006269291.tif 000031
【図３０】
2006269291.tif 000032